(57)【要約】【課題】停電時であっても使用可能な膜分離装置を備えた浄水器を提供すること。【解決手段】ポンプ装置から供給される加圧水を濾過する膜分離装置とを備えた浄水器１であって、外部電源が供給される際には内部の送水用ポンプ装置を駆動させてコネクタ３から供給される水道水を加圧して膜分離装置によって濾過させて浄水を得るようにし、外部電源が供給されないあるいは外部電源を供給しない場合にはコネクタ３に手動ポンプ１１の外部管１２を接続して同手動ポンプ１１を駆動させることによって被浄化水を加圧し、その加圧水をポンプ装置を素通しさせて膜分離装置によって濾過させて浄水を得るようにした。【選択図】  図２
0003136066.tif 000002
【実用新案登録請求の範囲】
【請求項１】
被浄化水を供給する外部管を接続するためのコネクタと、
同コネクタから導入される被浄化水を加圧して加圧水として下流に流下させる外部電源によって駆動される駆動源を備えた送水用ポンプ装置と、
前記ポンプ装置の下流側に配置され、同ポンプ装置から供給される加圧水を濾過する１以上の膜分離装置とを備えた浄水器であって、
外部電源が供給される際には送水用ポンプ装置を駆動させて前記コネクタから供給される被浄化水を加圧して前記膜分離装置によって濾過させて浄水を得るようにし、外部電源が供給されないあるいは外部電源を供給しない場合には前記コネクタに手動ポンプの外部管を接続して同手動ポンプを駆動させることによって被浄化水を加圧し、その加圧水を前記ポンプ装置を素通しさせて前記膜分離装置によって濾過させて浄水を得るようにしたことを特徴とする浄水器。
【請求項２】
前記送水用ポンプ装置の前記駆動源は前記コネクタから流入する水の圧力を検出する検出手段の検出信号に基づいて駆動されることを特徴とする請求項１に記載の浄水器。
【考案の詳細な説明】
【技術分野】
【０００１】
本考案は水道水や汚染された水等の被浄化水を濾過して浄水を精製する浄水器に関するものである。
【背景技術】
【０００２】
従来から逆浸透膜（ＲＯ膜）のような濾過膜を備えた膜分離装置によって水中の汚れを濾過する浄水器が提供されている。膜分離装置による浄水器は浄化能力が高く、上水でない汚染されたような水であっても浄化して浄水とすることが可能である。このような浄水器の一例を特許文献１として示す。
【特許文献１】特開２００１−２４６３６７号公報
【考案の開示】
【考案が解決しようとする課題】
【０００３】
しかし、特許文献１に挙げた浄水器、あるいはその他の逆浸透膜を使用した膜分離装置を備えた浄水器は電動ポンプによって水を加圧して膜分離装置を透過させるようにしているため、停電時には使用できなくなってしまう。
本考案は、このような従来の技術に存在する問題点に着目してなされたものである。その主目的とするところは、停電時であっても使用可能な膜分離装置を備えた浄水器を提供することにある。
【課題を解決するための手段】
【０００４】
上記の目的を達成するための第１の手段として、被浄化水を供給する外部管を接続するためのコネクタと、同コネクタから導入される被浄化水を加圧して加圧水として下流に流下させる外部電源によって駆動される駆動源を備えた送水用ポンプ装置と、前記ポンプ装置の下流側に配置され、同ポンプ装置から供給される加圧水を濾過する１以上の膜分離装置とを備えた浄水器であって、外部電源が供給される際には送水用ポンプ装置を駆動させて前記コネクタから供給される被浄化水を加圧して前記膜分離装置によって濾過させて浄水を得るようにし、外部電源が供給されないあるいは外部電源を供給しない場合には前記コネクタに手動ポンプの外部管を接続して同手動ポンプを駆動させることによって被浄化水を加圧し、その加圧水を前記ポンプ装置を素通しさせて前記膜分離装置によって濾過させて浄水を得るようにしたことをその要旨とする。
第２の手段では第１の手段に加え、前記送水用ポンプ装置の前記駆動源は前記コネクタから流入する水の圧力を検出する検出手段の検出信号に基づいて駆動されるようにしたことをその要旨とする。
【考案の効果】
【０００５】
上記各請求項の考案では、膜分離装置を備えた浄水器において停電時や電源がない場所においても膜分離装置によって濾過した浄水を得ることが可能となる。
【考案を実施するための最良の形態】
【０００６】
以下、本考案における浄水器を具体化した一実施例を図面に基づいて説明する。
図１及び図２に示すように本実施例の浄水器１はプラスチック製の筐体２を備え、背面側に給水用コネクタ３、排水用コネクタ４、浄水用コネクタ５がそれぞれ露出されている。浄水用コネクタ５にはホース６を介して浄水ノズルユニット７が接続されている。図１に示すように通常の家庭内での使用においては給水用コネクタ３には水道蛇口８から延出される外部管としてのフレキシブルホース９が接続されている。排水用コネクタ４には排水ホース１０が接続されている。
図２に示すように停電あるいは野外のように電源の供給ができない場合においては給水用コネクタ３にフレキシブルホース９の代わりに手動ポンプ１１の外部管としての送水ホース１２が接続されるようになっている。
【０００７】
次に、浄水器１の内部構造の概略について説明する。図３に示すように、筐体２内部には一群の濾過用の部材が収容されている。給水用コネクタ３を最上流位置として内部配管１５には検出手段としての圧力センサ１６が接続されている。圧力センサ１６は内部配管１５内に供給される水の圧力を検出してその検出状態を信号として出力する。圧力センサ１６の下流位置には検出送水用のポンプ装置１７が接続されている。ポンプ装置１７は図示しない家庭用電源からの電力の供給を受けて駆動するモータ装置を内蔵しており、スイッチオン状態において前記圧力センサ１６からの出力信号の入力を条件として駆動されるようになっている。ポンプ装置１７は本実施例では回転子を有するターボ型ポンプであって内部配管１５内においてある程度の加圧された水（水道から送られる水道水のように）を更に強く加圧して下流に送る役割を果たす。ポンプ装置１７の下流位置には活性炭フィルター装置１８が接続されている。活性炭フィルター装置１８は主として水中の臭気成分を吸着して脱臭を行う。
【０００８】
活性炭フィルター装置１８の下流位置には膜分離装置としての２台の逆浸透膜フィルター装置１９，２０が直列に接続されている。逆浸透膜フィルター装置１９，２０は逆浸透膜（ＲＯ膜）を分離膜として使用した膜分離装置であって、概ね２ｎｍ以下の物質のみを含む水を透過させる能力を有する。不純物の分離のためには通常の浸透圧以上の圧力が必要であるためポンプ装置１７によってその圧力を創出している。第１の逆浸透膜フィルター装置１９で濾過された浄水は浄水吐出口２１から内部配管１５（浄水用配管１５ａ）に放出されそのまま浄水用コネクタ５に導かれている。一方、排水吐出口２２は第２の逆浸透膜フィルター装置２０の給水口２３に導かれている。第２の逆浸透膜フィルター装置２０では第１の逆浸透膜フィルター装置１９で濾過できなかった分の排水が再度濾過され同様に浄水吐出口２１から内部配管１５（浄水用配管１５ａ）に放出され浄水用コネクタ５に導かれている。
第２の逆浸透膜フィルター装置２０の排水吐出口２２は内部配管１５（排水用配管１５ｂ）に接続されている。排水吐出口２２の下流には水量調整バルブ２４と洗浄バルブ２５が並列に接続されている。水量調整バルブ２４によって内部配管１５の圧力を調整し、内部配管１５の洗浄（掃除）が必要な場合には常時は閉鎖されている洗浄バルブ２５を開放するようにする。排水用配管１５ｂは排水用コネクタ４に接続されており最終的に浄化されなかった水は排水用コネクタ４から外部に排出される。
【０００９】
このような構成において、通常の使用の際、つまり電源が供給されている状態では水道水からの水の供給を受け、ポンプ装置１７が駆動されて（圧力センサ１６は検出信号をポンプ装置１７側に出力する）加圧された水が活性炭フィルター装置１８及び逆浸透膜フィルター装置１９，２０によって濾過されて浄水ノズルユニット７から放出される。
一方、電源が供給されない場合にはポンプ装置１７が駆動できないため、図２のように手動ポンプ１１の外部管としての送水ホース１２を給水用コネクタ３に接続して手動にて手動ポンプ１１内の被浄化水を浄水器１内に送出する。加圧された被浄化水はポンプ装置１７を素通りして上記と同様に活性炭フィルター装置１８及び逆浸透膜フィルター装置１９，２０によって濾過されて浄水ノズルユニット７から放出される。これによって停電時や電源がない場所においても濾過した浄水を得ることが可能となる
【００１０】
なお、この発明は，次のように変更して具体化することも可能である。
・逆浸透膜フィルター装置１９，２０（膜分離装置）は１つでもよく、３つ以上でもよい。
・浄水経路に他のフィルター、例えば浄水にミネラル分を添加するためのフィルターを例えば逆浸透膜膜フィルター装置１９，２０の下流位置に接続してもよい。
・浄水器１内には手動ポンプ１１内に収容された被浄化水を供給するだけではなく手動ポンプ１１によって外部の貯水漕から供給するようにしてもよい。
・他の膜分離装置を使用することも可能である。
その他、本発明の趣旨を逸脱しない態様で実施することは自由である。
【図面の簡単な説明】
【００１１】
【図１】本実施例の浄水器に水道水を供給している状態の概略図。
【図２】本実施例の浄水器に手動ポンプから水を供給している状態の概略図。
【図３】浄水器の内部構造の概略図。
【符号の説明】
【００１２】
１…浄水器、３…給水用コネクタ、１１…手動ポンプ、１７…送水用ポンプ装置、１９，２０…膜分離装置としての逆浸透膜膜フィルター装置。
【図１】
0003136066.tif 000003
【図２】
0003136066.tif 000004
【図３】
0003136066.tif 000005